(57)【要約】【課題】本体の取り付け向きが固定されても排気風量の減少を防止することができることを目的とする。【解決手段】浴室内へ空気を吹出す吹出口５と、送風された空気を外部に排気する第１の排気口６および第２の排気口７とを本体に有し、第１の排気口６と第２の排気口７を吹出口５に対して垂直となる両側面に有し、本体の向きを固定しても排気口より直線上に排気ダクト１２を接続するため、排気風量の減少を防止することができる浴室暖房乾燥機を得られる。【選択図】図１
2015165175.tif 000002
【特許請求の範囲】
【請求項１】
浴室内の空気を吸込み送風する送風手段と、前記送風手段により送風された空気の吹出方向を切り換える風路切換手段と、空気を温める加熱手段と、前記浴室内へ空気を吹出す吹出口と、送風された空気を外部に排気する第１の排気口および第２の排気口とを本体に有し、前記第１の排気口と前記第２の排気口を前記吹出口に対して垂直となる両側面に有したことを特徴とする浴室暖房乾燥機。
【請求項２】
浴室内に吹出す吹出口には吹出し方向を可変する風向可変手段を設けたことを特徴とする請求項１に記載の浴室暖房乾燥機。
【請求項３】
風向可変手段の吹出す方向に対し垂直な方向に第１の排気口と第２の排気口とを備え、本体を浴室の天井に設置したことを特徴とする請求項２に記載の浴室暖房乾燥機。
【発明の詳細な説明】
【技術分野】
【０００１】
本発明は、浴室に使用される浴室の換気や暖房あるいは衣類の乾燥に使用される浴室暖房乾燥機に関するものである。
【背景技術】
【０００２】
従来、この種の浴室暖房乾燥機は、浴室天井に設置され、一定の排気方向となるものが知られている（例えば、特許文献１参照）。
【０００３】
以下、その浴室暖房乾燥機について図６を参照しながら説明する。
【０００４】
図６に示すように、浴室暖房乾燥機は浴室の天井１０１に設置され送風ファン１０２によって浴室内の空気を吸気口１０３から吸気して切換ダンパー１０４を介して浴室吹出口であるルーバー１０５あるいは排気ダクト１０６に送風する。また排気ダクト１０６とルーバー１０５送風ファン１０２の延長上にあるため、吹き出す方向が一定方向となる。
【先行技術文献】
【特許文献】
【０００５】
【特許文献１】特開２００３−２０７１７６号公報
【発明の概要】
【発明が解決しようとする課題】
【０００６】
このような従来の浴室暖房乾燥機においては、可動ルーバー有した浴室暖房乾燥機において施工時に本体の取り付け向きが固定され排気方向を変更するときは排気口にエルボを取り付ける必要があるが、エルボを取り付けた場合に圧力損失が発生し、排気風量が減少する、という課題を有していた。
【０００７】
そこで本発明は、上記従来の課題を解決するものであり本体の取り付け向きが固定されても排気風量の減少を防止することができる浴室暖房乾燥機を提供することを目的とする。
【課題を解決するための手段】
【０００８】
そして、この目的を達成するために、本発明は、浴室内の空気を吸込み送風する送風手段と、前記送風手段により送風された空気の吹出方向を切り換える風路切換手段と、空気を温める加熱手段と、前記浴室内へ空気を吹出す吹出口と、送風された空気を外部に排気する第１の排気口および第２の排気口とを本体に有し、前記第１の排気口と前記第２の排気口を前記吹出口に対して垂直となる両側面に有したこととしたものであり、これにより所期の目的を達成するものである。
【発明の効果】
【０００９】
本発明によれば、浴室内の空気を吸込み送風する送風手段と、前記送風手段により送風された空気の吹出方向を切り換える風路切換手段と、空気を温める加熱手段と、前記浴室内へ空気を吹出す吹出口と、送風された空気を外部に排気する第１の排気口および第２の排気口とを本体に有し、前記第１の排気口と前記第２の排気口を前記吹出口に対して垂直となる両側面に有した、という構成にしたことにより、送風手段が駆動し浴室内の空気を吸込み、加熱手段を介して浴室内に温風を吹出す風路と、浴室外に排気する風路に風路切換手段によって切り換えられ、風路切換手段は片軸の可動壁であり浴室内に吹出す場合は排気口側への風路を塞ぐ位置となり、一方排気する場合は浴室への吹出口側の風路を塞ぐ位置に移動し、左右の排気口に導かれ排気されるため、本体の向きを固定しても排気口より直線上に排気ダクトを接続することとなるので、本体の取り付け向きが固定されても排気風量の減少を防止することができる、という効果を得ることができる。
【図面の簡単な説明】
【００１０】
【図１】本発明の実施の形態１の浴室暖房乾燥機の全体構成を示す内部構成図
【図２】同浴室暖房乾燥機を示す断面図
【図３】本発明の実施の形態２の浴室暖房乾燥機の吹出口側からの外観斜視図
【図４】同浴室暖房乾燥気の可動ルーバーの斜視図
【図５】同浴室暖房乾燥機の本体を浴室へ設置する構成図
【図６】従来の浴室暖房乾燥機の構成を示す断面図
【発明を実施するための形態】
【００１１】
本発明の請求項１記載の浴室暖房乾燥機は、浴室内の空気を吸込み送風する送風手段と、前記送風手段により送風された空気の吹出方向を切り換える風路切換手段と、空気を温める加熱手段と、前記浴室内へ空気を吹出す吹出口と、送風された空気を外部に排気する第１の排気口および第２の排気口とを本体に有し、前記第１の排気口と前記第２の排気口を前記吹出口に対して垂直となる両側面に有した、という構成を有する。これにより、送風手段が駆動し浴室内の空気を吸込み、加熱手段を介して浴室内に温風を吹出す風路と、浴室外に排気する風路に風路切換手段によって切り換えられる。風路切換手段は片軸の可動壁であり浴室内に吹出す場合は排気口側への風路を塞ぐ位置となり、一方排気する場合は浴室への吹出口側の風路を塞ぐ位置に移動し、左右の排気口に導かれ排気されるため、本体の向きを固定しても排気口より直線上に排気ダクトを接続することとなるので本体の取り付け向きが固定されても排気風量の減少を防止することができる、という効果を奏する。
【００１２】
また、浴室内に吹出す吹出口には吹出し方向を可変する風向可変手段を設けた、という構成にしてもよい。これにより、風向可変手段の角度により浴室内に吹出す風向きを変えることができ、例えば２７０度以上可変し風の向きを集中や拡散させるのを切り分けることとなるので、洗い場への風向を可変することができる、という効果を奏する。
【００１３】
また、風向可変手段の吹出す方向に対し垂直な方向に第１の排気口と第２の排気口とを備え、本体を浴室の天井に設置した、という構成にしてもよい。これにより、本体を浴槽の上に設置し風向可変手段を浴室の洗い場に対し可変動作し、排気口は風向可変手段の吹出す方向に対し垂直な方向に第１の排気口と第２の排気口を備えることにより、吹出口側から見たときに排気ダクトは右または左に導かれることとなるので、施工およびメンテナンスを向上することができる、という効果を奏する。
【００１４】
以下、本発明の実施の形態について図面を参照しながら説明する。
【００１５】
（実施の形態１）
図１および図２に示すように、送風手段１を有した浴室暖房乾燥機は、浴室２に面した位置にある空気の吸込口３より空気を吸い込み、風路切換手段４により浴室内に面する吹出口５あるいは屋外へ排気する第１の排気口６または第２の排気口７へ風路を切換える。
【００１６】
送風手段１は、ＡＣやＤＣ等の電動機の両軸に設けた２つのシロッコファンの羽根より構成されており、電動機が駆動することにより吸込口３より浴室２の空気を吸い込むこととなり、送風手段１を通過した空気は風路切換手段４を備えた空間に導かれる。
【００１７】
風路切換手段４のある空間は、吹き出し方向に対して直角に下方向に曲がり吹出口５に導かれる風路と、直角に左右水平方向に曲がり第１の排気口６および第２の排気口７に導かれる風路に連結されている。
【００１８】
風路切換手段４は旗のような片軸の板状の形状をしており、片軸である風路切換手段４を回転させる風路切換手段軸８は送風手段１に対し風下側に備えた構成である。
【００１９】
風路切換手段軸８を中心に風路切換手段４が送風手段１の出口の風路を形成する送風手段出口風路９の上面に接する位置に回転すると、送風手段１を通過した空気は風路切換手段４の板状の壁面に当たり吹出口５の手前に位置する加熱手段１０であるヒーターを通過し吹出口５より浴室２に吹き出されることとなる。
【００２０】
一方風路切換手段４が送風手段出口風路９の下面に接する位置に移動すると、送風手段１を通過した空気は内部壁面１１である風路切換手段４の風が衝突する箇所に衝突し左右水平の位置にある第１の排気口６または第２の排気口７に導かれることとなる。
【００２１】
第２の排気口７に接続する排気ダクト１２は屋外への排気として使用されることとなるため、通常は排気ダクト１２の接続が容易な第２の排気口７を使用するため、第１の排気口６あるいは第２の排気口７のどちらか片方に排気ダクト１２を接続することとなる。
【００２２】
この時使用しない側の第１の排気口６は板等で塞ぐことにより、使用する側の第２の排気口７に空気が流れることとなる。
【００２３】
これより、左右の第１の排気口６または第２の排気口７に導かれ排気されるため、本体１４の設置の向きを固定しても第１の排気口６や第２の排気口７により直線上に排気ダクトを接続することができることとなり、排気口以降でのエルボ等による圧力損失を抑制することができる。
【００２４】
なお、実施の形態１において、風路切換手段４を片軸板状の形状としたが、風路切換手段自体で風路を創造する円弧型としてもよくその効果に何ら差異はない。
【００２５】
（実施の形態２）
図３〜図５において、図１および図２と同様の構成要素については同一の符号を付し、その詳細な説明は省略する。
【００２６】
浴室暖房乾燥機の本体１４は浴室２の天井２２上に設置され、天井開口１５を介して浴室２に吸込口３および吹出口５を露出している。
【００２７】
また、風路切換手段４（図２参照）が送風手段出口風路９（図２参照）の上面と下面の中間位置で固定されことにより、送風手段１（図２参照）より送られてきた空気は加熱手段１０（図２参照）を介して吹出口５（図２参照）より吹き出し、一方、第１の排気口６（図１参照）または第２の排気口７（図１参照）より屋外に排気することにより、浴室２内を乾燥させるあるいは浴室２内で衣類（図示せず）を乾燥することができる。
【００２８】
衣類を乾燥する場合には、物干しバー１６を取り付けるため、一般的に入浴の邪魔にならない浴槽１７の上に取り付ける。
【００２９】
衣類を速く乾燥させるためには本体１４と物干しバー１６の距離が近いほど速く乾燥するため本体１４の位置は浴槽１７の上に設置することとなる。
【００３０】
このため浴槽１７の上に設置された本体１４より浴室２内を暖めたり、乾燥させたりするためには、本体１４から吹き出す空気は洗い場１８に向かう必要がある。
【００３１】
吹出口５（図３参照）は可動ルーバー１３を備えている。
【００３２】
可動ルーバー１３は上下のルーバー１３ａと１３ｂおよび１３ｃと１３ｄで構成され、そして、上下のルーバー１３ａと１３ｂおよび１３ｃと１３ｄとの間に外側にある角度をもって取り付けられた複数のフラップ１９を有している。
【００３３】
可動ルーバー１３の両端の中心にルーバー軸２０を有しており、ルーバー軸２０を中心として可動ルーバー１３が２７０度以上回転する構造となっている。
【００３４】
可動ルーバー１３は停止の時は吹出口５を塞ぐ位置つまり上下ルーバー１３ａの表面がパネル２１の表面に現れる位置で固定され、吹出口５の穴は見えないように美観を保っている。
【００３５】
本体１４が浴室２内に温風を吹き出すモードつまり送風手段１が駆動し加熱手段１０が動作する暖房モード、あるいは送風手段１が駆動し加熱手段１０が動作し風路切換手段４が送風手段出口風路９の上面と下面の中間位置で固定され浴室２内への温風吹き出しと第１の排気口６または第２の排気口７から排気される乾燥モードの時には可動ルーバー１３がルーバー軸２０を中心に回転し吹出口５より風が吹き出す角度となる。
【００３６】
一方可動ルーバー１３には外側に開いた角度で取り付けられた複数のフラップ１９を備えているため、可動ルーバー１３の角度が０度から１８０度の時には広がる角度で風が吹き出され、一方１８０度から３６０度回転すると複数のフラップ１９可動ルーバー１３の中心に向かう角度に配置される構成となるため、可動ルーバー１３の中心となる空間に集中的に風が集まることとなる。可動ルーバー１３の角度が０度から１８０度の時には複数干された衣類の乾燥に有効であり、１８０度から３６０度の時に浴室２の洗い場１８を集中的に暖めることができる。
【００３７】
可動ルーバー１３を備えた浴室暖房乾燥機の場合、本体１４の設置方向が吹出口５が洗い場１８の方向に設置することとなるが、第１の排気口６と第２の排気口７を有しているため、どちらかの排気口を使用することにより容易に施工ができることとなる。
【産業上の利用可能性】
【００３８】
本発明にかかる浴室暖房乾燥機は、本体の取り付け向きが固定されても排気風量の減少を防止することができることを可能とするものであるので、ダクト接続を有する空調機に有用である。
【符号の説明】
【００３９】
１    送風手段
２    浴室
３    吸込口
４    風路切換手段
５    吹出口
６    第１の排気口
７    第２の排気口
８    風路切換手段軸
９    送風手段出口風路
１０  加熱手段
１１  内部壁面
１２  排気ダクト
１３  可動ルーバー
１４  本体
１５  天井開口
１６  物干しバー
１７  浴槽
１８  洗い場
１９  フラップ
２０  ルーバー軸
２１  パネル
２２  天井
【図１】
2015165175.tif 000003
【図２】
2015165175.tif 000004
【図３】
2015165175.tif 000005
【図４】
2015165175.tif 000006
【図５】
2015165175.tif 000007
【図６】
2015165175.tif 000008